(57)【特許請求の範囲】
【請求項１】
上向き突条部を有する屋根の上に屋根上設置物を設置するための屋根上設置物の設置架台であって、
前記上向き突条部を挟着するための第１挟着部材及び第２挟着部材と、これらの第１挟着部材及び第２挟着部材を締め付けることにより、前記第１挟着部材及び前記第２挟着部材に前記上向き突条部を挟着させるための締め付け手段と、を含んで構成される屋根上設置物の設置架台において、
前記第１挟着部材及び前記第２挟着部材と、これらの第１挟着部材及び第２挟着部材よりも上側に配置される前記屋根上設置物との間に介設され、前記第１挟着部材及び前記第２挟着部材に前記屋根上設置物を連結するための連結手段を有し、この連結手段の底部についての前記第１挟着部材及び前記第２挟着部材における高さ位置が、前記締め付け手段と同じ位置又はこれよりも低い位置となっており、
前記第１挟着部材及び前記第２挟着部材には、凹部が設けられ、これらの凹部に前記連結手段が配置されていることにより、この連結手段の前記底部についての前記第１挟着部材及び前記第２挟着部材における高さ位置が、前記締め付け手段と同じ位置又はこれよりも低い位置となっていることを特徴とする屋根上設置物の設置架台。
【請求項２】
請求項１に記載の屋根上設置物の設置架台において、前記締め付け手段は間隔をあけて複数個あり、これらの締め付け手段の間に、前記第１挟着部材及び前記第２挟着部材の前記凹部が設けられていることを特徴とする屋根上設置物の設置架台。
【請求項３】
上向き突条部を有する屋根の上に屋根上設置物を設置するための屋根上設置物の設置架台であって、
前記上向き突条部を挟着するための第１挟着部材及び第２挟着部材と、これらの第１挟着部材及び第２挟着部材を締め付けることにより、前記第１挟着部材及び前記第２挟着部材に前記上向き突条部を挟着させるための締め付け手段と、を含んで構成される屋根上設置物の設置架台において、
前記第１挟着部材及び前記第２挟着部材と、これらの第１挟着部材及び第２挟着部材よりも上側に配置される前記屋根上設置物との間に介設され、前記第１挟着部材及び前記第２挟着部材に前記屋根上設置物を連結するための連結手段を有し、この連結手段の底部についての前記第１挟着部材及び前記第２挟着部材における高さ位置が、前記締め付け手段と同じ位置又はこれよりも低い位置となっており、
前記連結手段は、前記第１挟着部材及び前記第２挟着部材に対して前記上向き突条部の長さ方向にスライド可能であるとともに、前記第１挟着部材及び前記第２挟着部材に固定可能となっていることを特徴とする屋根上設置物の設置架台。
【請求項４】
請求項１〜３のいずれかに記載の屋根上設置物の設置架台において、前記連結手段には、前記屋根上設置物を受けるための受け部材が接続されていることを特徴とする屋根上設置物の設置架台。
【請求項５】
請求項４に記載の屋根上設置物の設置架台において、前記受け部材には、前記屋根上設置物を載置するための載置部と、前記屋根上設置物の上面を上から押えるための押え部とが設けられていることを特徴とする屋根上設置物の設置架台。
【請求項６】
請求項４又は５に記載の屋根上設置物の設置架台において、前記連結手段が前記受け部材の下端部を前記第１挟着部材及び前記第２挟着部材に押圧することにより、前記連結手段に前記受け部材が接続されていることを特徴とする屋根上設置物の設置架台。
【請求項７】
請求項４〜６のいずれかに記載の屋根上設置物の設置架台において、前記受け部材には、前記屋根上設置物の上面よりも上方へ突出している雪止め部が設けられていることを特徴とする屋根上設置物の設置架台。
【請求項８】
請求項７に記載の屋根上設置物の設置架台において、前記受け部材及び前記雪止め部は、前記上向き突条部と直交する方向への長さを有しており、前記雪止め部の長さ寸法は、前記受け部材の長さ寸法よりも短くなっていることを特徴とする屋根上設置物の設置架台。
【発明の詳細な説明】
【技術分野】
【０００１】
本発明は、屋根の上に屋根上設置物を設置するために用いる屋根上設置物の設置架台に係り、例えば、太陽光発電のためのソーラーパネル（太陽電池モジュール）や、太陽熱温水器、屋根緑化装置等の屋根上設置物に利用できるものである。
【背景技術】
【０００２】
下記の特許文献１には、上向き突条部を有する屋根の上に屋根上設置物であるソーラーパネルを設置するための屋根上設置物の設置架台が示されている。この設置架台は、屋根の上向き突条部となっている折板屋根のハゼ部を挟着するための第１挟着部材及び第２挟着部材と、これらの第１挟着部材及び第２挟着部材を締め付けることにより、第１挟着部材及び第２挟着部材にハゼ部を挟着させるためのボルト及びナットによる締め付け手段と、を含んで構成されている。
【先行技術文献】
【特許文献】
【０００３】
【特許文献１】特開２０１５−４５１９２号公報
【発明の概要】
【発明が解決しようとする課題】
【０００４】
上記設置架台では、第１挟着部材及び第２挟着部材よりも上側にソーラーパネルを配置するために、締め付け手段よりも上方に、レール受け部材や、このレール受け部材で受けられたレールを配置し、このレールの上面にソーラーパネルを載置固定している。このように構成されている設置架台によると、レール受け部材やレールが締め付け手段よりも上方に配置されるため、屋根からのソーラーパネルの設置高さが高くなる。
【０００５】
本発明の目的は、屋根からの屋根上設置物の設置高さを低くすることができて、屋根上設置物を屋根に安定させて設置することができるようになる屋根上設置物の設置架台を提供するところにある。
【課題を解決するための手段】
【０００６】
本発明に係る屋根上設置物の設置架台は、上向き突条部を有する屋根の上に屋根上設置物を設置するための屋根上設置物の設置架台であって、前記上向き突条部を挟着するための第１挟着部材及び第２挟着部材と、これらの第１挟着部材及び第２挟着部材を締め付けることにより、前記第１挟着部材及び前記第２挟着部材に前記上向き突条部を挟着させるための締め付け手段と、を含んで構成される屋根上設置物の設置架台において、前記第１挟着部材及び前記第２挟着部材と、これらの第１挟着部材及び第２挟着部材よりも上側に配置される前記屋根上設置物との間に介設され、前記第１挟着部材及び前記第２挟着部材に前記屋根上設置物を連結するための連結手段を有し、この連結手段の底部についての前記第１挟着部材及び前記第２挟着部材における高さ位置が、前記締め付け手段と同じ位置又はこれよりも低い位置となっていることを特徴とするものである。
【０００７】
この屋根上設置物の設置架台は、第１挟着部材及び第２挟着部材に屋根設置物を連結するための連結手段を有しており、この連結手段の底部についての第１挟着部材及び第２挟着部材における高さ位置が、締め付け手段と同じ位置又はこれよりも低い位置となっているため、この分だけ屋根からの屋根上設置物の設置高さを低くすることができ、これにより、屋根上設置物を屋根に安定させて設置できるようになる。
【０００８】
なお、本発明において、上述のように締め付け手段により第１挟着部材及び第２挟着部材を締め付けることによってこれらの第１挟着部材及び第２挟着部材に屋根の上向き突条部を挟着させるための構造は、第１挟着部材と第２挟着部材のうち、一方の挟着部材に支点軸を設けるとともに、他方にこの支点軸を受けるための支点軸受け部を設け、締め付け手段を、第１挟着部材と第２挟着部材に貫通させたボルトと、このボルトに螺合させたナットとを含むものとし、このナットを回転させることにより、一方の挟着部材と他方の挟着部材が支点軸を中心に互いに近づく方向に揺動し、これにより、これらの挟着部材が屋根の上向き突条部を挟着するようになっている構造でもよく、あるいは、第１挟着部材と第２挟着部材を互いに平行にして対面配置し、締め付け手段を、これらの第１挟着部材と第２挟着部材に貫通させたボルトと、このボルトに螺合させたナットとを含むものとし、このナットを回転させることにより、第１挟着部材と第２挟着部材のうち、一方の挟着部材がガイド部材に案内されて他方の挟着部材の側へ平行移動して、これらの挟着部材が屋根の上向き突条部を挟着するようになっている構造でもよい。
【０００９】
また、第１挟着部材及び第２挟着部材と、これらの第１挟着部材及び第２挟着部材よりも上側に配置される屋根上設置物との間に介設されて、第１挟着部材及び第２挟着部材に屋根上設置物を連結するための連結手段は、１個の部材によるものでもよく、２個以上の部材の組み合せにより構成されるものでもよく、さらに、第１挟着部材及び第２挟着部材に屋根上設置物を連結するための構造は、この連結を行えるものであれば、任意の構造でよい。
【００１０】
また、上述のように連結手段の底部についての第１挟着部材及び第２挟着部材における高さ位置を、締め付け手段と同じ位置又はこれよりも低い位置とするためには、例えば、第１挟着部材及び第２挟着部材に凹部を設け、これらの凹部に連結手段を配置することにより、この連結手段の底部についての第１挟着部材及び第２挟着部材における高さ位置を、締め付け手段と同じ位置又はこれよりも低い位置としてもよい。
【００１１】
このように第１挟着部材及び第２挟着部材に凹部を設け、これらの凹部に連結手段を配置することにより、この連結手段の底部についての第１挟着部材及び第２挟着部材における高さ位置を、締め付け手段と同じ位置又はこれよりも低い位置とする場合であって、締め付け手段が間隔をあけて複数個設けられている場合には、これらの締め付け手段の間に、第１挟着部材及び第２挟着部材の凹部を設けるようにしてもよい。
【００１２】
そして、上述のように連結手段の底部についての第１挟着部材及び第２挟着部材における高さ位置を、締め付け手段と同じ位置又はこれよりも低い位置とするためには、例えば、第１挟着部材と第２挟着部材のうち、一方の側部又は両方の側部に連結手段を取り付け可能とし、これにより、この連結手段の底部の位置を締め付け手段と同じ位置又はこれよりも低い位置としてもよい。
【００１３】
本発明において、連結手段を、第１挟着部材及び第２挟着部材に対して屋根の上向き突条部の長さ方向にスライド可能とするとともに、第１挟着部材及び第２挟着部材に固定可能とすることが好ましい。
【００１４】
これによると、第１挟着部材及び第２挟着部材に連結手段を介して屋根上設置物を連結する際に、連結手段を、第１挟着部材及び第２挟着部材に対して屋根の上向き突条部の長さ方向にスライドさせた後に、第１挟着部材及び第２挟着部材に固定するという作業を行うことができるため、第１挟着部材及び第２挟着部材における連結手段の位置を、屋根上設置物についての上向き突条部の長さ方向の寸法等に応じて調整できることになり、このため、第１挟着部材及び第２挟着部材に連結手段を介して屋根上設置物を連結する作業を容易かつ確実に行えるようになる。
【００１５】
また、本発明において、第１挟着部材及び第２挟着部材と、これらの第１挟着部材及び第２挟着部材よりも上側に配置される屋根上設置物との間に連結手段を介設し、この連結手段により、第１挟着部材及び第２挟着部材に屋根上設置物を連結するためには、連結手段に、屋根上設置物を受けるための受け部材を接続してもよく、あるいは、連結手段に直接的に屋根上設置物を取り付けるようにしてもよい。
【００１６】
前者のように、連結手段に、屋根上設置物を受けるための受け部材を接続する場合には、この受け部材に、屋根上設置物を載置するための載置部と、屋根上設置物の上面を上から押えるための押え部とを設け、これらの載置部と押え部とにより屋根上設置物を上下に不動状態にして、受け部材により屋根上設置物を受けるようにしてもよい。
【００１７】
また、連結手段に、屋根上設置物を受けるための受け部材を接続する場合には、連結手段が受け部材の下端部を第１挟着部材及び第２挟着部材に押圧することにより、連結手段に受け部材を接続するようにしてもよい。
【００１８】
さらに、本発明において、受け部材の上端の高さ位置を屋根上設置物の上面と同じ又はこれより低い位置としてもよいが、受け部材に、屋根上設置物の上面よりも上方へ突出した雪止め部を設けることが好ましい。
【００１９】
これによると、屋根上設置物を受けるための受け部材が雪止め部材を兼ねることになるため、屋根上設置物の上に積もった雪が屋根上設置物の上面に沿って滑り落ちることを受け部材により防止できるようになる。
【００２０】
そして、このように受け部材に、屋根上設置物の上面よりも上方へ突出した雪止め部を設ける場合には、屋根上設置物の上向き突条部と直交する方向が長さ方向となっている受け部材の全長に渡って雪止め部を設けてもよいが、受け部材の長さ寸法よりも雪止め部の長さ寸法を短くすることが好ましい。
【００２１】
これによると、受け部材の全長に渡って雪止め部が設けられないことになり、受け部材には、雪止め部が設けられていない箇所が存在することになるため、雪が溶解して生じた水がこの箇所を通過することができ、これにより、水が受け部材よりも屋根勾配方向の下側へ流下できるようになる。
【００２２】
以上説明した本発明は、上向き突条部が設けられている屋根の上に設置される任意の屋根上設置物について適用することができ、この屋根上設置物は、太陽光発電のためのソーラーパネルでもよく、太陽熱温水器でもよく、屋根緑化装置等でもよい。
【００２３】
また、屋根の上向き突条部は、折板屋根のハゼ部でもよく、屋根下地材を覆う屋根仕上げ材となっている金属板材の折り曲げによって形成されたものでもよく、要するに本発明は、屋根に上向き突条部が設けられていれば、任意の形態や構造の屋根について適用することができる。
【発明の効果】
【００２４】
本発明によると、屋根からの屋根上設置物の設置高さを低くすることができて、屋根上設置物を屋根に安定させて設置できるようになるという効果を得られる。
【図面の簡単な説明】
【００２５】
【図１】図１は、ソーラーパネルについて適用されている本発明の一実施形態に係る設置架台を示す斜視図である。
【図２】図２は、図１のＳ２−Ｓ２線断面図であって、一部を省略した図である。
【図３】図３は、図２のＳ３−Ｓ３線断面図である。
【図４】図４は、図２等で示されている設置台を示す斜視図である。
【図５】図５は、図４の設置台の分解斜視図である。
【図６】図６は、図１等で示されている受け部材の斜視図であって、一部を省略した図である。
【図７】図７は、屋根上設置物であるソーラーパネルを設置架台により屋根に設置する作業のうち、連結手段をスライドさせる前の状態を示す側面図である。
【図８】図８は、ソーラーパネルを設置架台により屋根に設置する作業のうち、連結手段をスライドさせた後の状態を示す側面図である。
【発明を実施するための形態】
【００２６】
以下に本発明を実施するための形態を図面に基づいて説明する。本実施形態に係る屋根上設置物は、太陽光発電のために用いられるソーラーパネルであり、図１には、本発明の一実施形態に係る設置架台１０により建物の屋根１の上に設置されたソーラーパネル５０が示されており、この図１において、建物の桁行方向と直交する方向における棟側から軒側へ下りの水勾配を有している屋根１の上に、２個のソーラーパネル５０Ａ，５０Ｂが棟と軒の間に配置されている状態が示されているが、ソーラーパネル５０は、棟と軒の間には３個以上、桁行方向には複数個配置されるため、図１には、設置架台１０の一部が示されている。
【００２７】
屋根１には上向き突条部２が形成されており、この上向き突条部２は、桁行方向に間隔をあけて複数個設けられている。図２は、図１のＳ２−Ｓ２線断面図であり、この図２のＳ３−Ｓ３線断面図である図３には、上向き突条部２の断面図が示されている。この図３に示されているように、屋根１は、屋根下地材３の上に屋根仕上げ材となっている複数の金属板材４，５を、これらの金属板材４，５の一部同士を上下に重ね合せて桁行方向に並設することにより形成されており、金属板材４，５のうち、上下に重ね合せられている箇所は折り曲げられて上方へ突出した突出部４Ａ，５Ａとなっており、これらの突出部４Ａ，５Ａが、屋根１の桁行方向と直交して棟から軒まで延びる上向き突条部２となっている。本実施形態の上向き突条部２には、この上向き突条部２の桁行方向両側の側面において、桁行方向内側へ窪んだ窪み部６が形成されている。
【００２８】
図１に示されているように、屋根１に桁行方向の間隔をあけて多数設けられている上向き突条部２のうち、ソーラーパネル５０の桁行方向の寸法等に基づいて選択された複数の上向き突条部２には、設置台１１が取り付けられており、この設置台１１は、設置台１１が取り付けられる上向き突条部２に、桁行方向と直交する方向の間隔をあけて複数個取り付けられている。そして、水勾配を有する屋根１における同じ高さ位置において、桁行方向に並べられた状態で複数の上向き突条部２に取り付けられている複数個の設置台１１には、受け部材１２，１３が架け渡されており、これらの受け部材１２，１３は、後述の説明で分かるように、ソーラーパネル５０を受けるための部材となっている。
【００２９】
図１に示されている本実施形態に係る設置架台１０は、以上説明した設置台１１と受け部材１２，１３とを含んで構成されたものとなっており、受け部材１２，１３のうち、受け部材１２は、屋根１の軒に近い低位置の箇所に配置され、受け部材１３は、受け部材１２よりも棟側となっている高位置の複数箇所に配置されている。
【００３０】
図４には、設置台１１が示されており、図５は、この設置台１１の分解斜視図である。これらの図４及び図５に示されているように、設置台１１は、桁行方向である左右方向に互いに対向して配置された第１挟着部材１４及び第２挟着部材１５と、スライド部材１６と、押え込み部材１７とを含んで構成されている。第１挟着部材１４と第２挟着部材１５は、上向き突条部２の長さ方向へ延びる長さを有しており、それぞれの挟着部材１４，１５の上部には、これらの挟着部材１４，１５の長さ方向の両端部において、凸部１４Ａ，１５Ａが形成されており、第１挟着部材１４の２個の凸部１４Ａの間は、凹部１８となっており、第２挟着部材１５の２個の凸部１５Ａの間は、凹部１９となっている。第１挟着部材１４の２個の凸部１４Ａには、支点軸２０が第２挟着部材１５側へ突出した状態で形成されており、第２挟着部材１５の２個の凸部１５Ａには、これらの支点軸２０を回動自在に受けるための支点軸受け部２１が形成されている。
【００３１】
また、それぞれの挟着部材１４，１５の凸部１４Ａ，１５Ａには、締付ボルト２２の軸部を挿通させるための孔１４Ｂ，１５Ｂが設けられ、これらの締付ボルト２２の軸部の端部には、ナット２３が螺合されている。図３に示されているように、第１挟着部材１４と第２挟着部材１５を上向き突条部２に上から被せた後に、ナット２３を回転させて締め付けると、第１挟着部材１４と第２挟着部材１５は、支点軸２０を中心に互いに近づく方向へ揺動して上向き突条部２を挟着するため、設置台１１は、上向き突条部２に取り付けられることになる。
【００３２】
なお、本実施形態に係るそれぞれの挟着部材１４，１５の下先端部には、上向き突条部２の前述した窪み部６に食い込む突起部１４Ｃ，１５Ｃが形成されているため、これらの挟着部材１４，１５による上向き突条部２の挟着を強固に行えるようになっている。
【００３３】
そして、本実施形態では、締付ボルト２２及びナット２３により、第１挟着部材１４及び第２挟着部材１５を締め付けて、この締め付けによりこれらの挟着部材１４，１５に上向き突条部２を挟着させるための締め付け手段２４が構成されている。
【００３４】
図５で示されているスライド部材１６は、桁行方向の中央部が突部１６Ａとなった空洞の凸形状となっているものであり、突部１６Ａの桁行方向両側は、互いに向かい合う側が開口した横向き凹形状の２個の被ガイド部１６Ｂとなっている。これらの被ガイド部１６Ｂは、図３に示されているように、第１挟着部材１４及び第２挟着部材１５の側面に桁行方向の外側へ延出して形成されているガイド部１４Ｄ，１５Ｄに外側から嵌合されるものであり、それぞれガイド部１４Ｄ，１５Ｄは、挟着部材１４，１５の全長に渡る長さを有しているため、図３に示されているように、締め付け手段２４により第１挟着部材１４と第２挟着部材１５を締め付けて、これらの挟着部材１４，１５が上向き突条部２を挟着したときに、スライド部材１６をガイド部１４Ｄ，１５Ｄに沿って案内させることができ、このスライド部材１６を、挟着部材１４，１５の長さ方向となっている上向き突条部２の長さ方向へスライドさせることができる。
【００３５】
図４及び図５で示されている押え込み部材１７は、スライド部材１６の上側に配置されたベース部１７Ａと、このベース部１７Ａにおける上向き突条部２の長さ方向両側から下方へ延びている２個の脚部１７Ｂ，１７Ｃとを有する逆凹形状となっており、スライド部材１６と、このスライド部材１６に上から被せられた押え込み部材１７とが、第１挟着部材１４の凹部１８と第２挟着部材１５の凹部１９に配置される。スライド部材１６の２個の被ガイド部１６Ｂの間は開口しており、スライド部材１６と押え込み部材１７が凹部１８，１９に配置される以前において、この開口部から上向きとされた押え込みボルト２５の軸部２５Ｂと頭部２５Ａが下側から挿入され、軸部２５Ｂは、スライド部材１６の突部１６Ａに形成されている孔２６と、押え込み部材１７のベース部１７Ａに形成されている孔２７とに挿通され、軸部２５Ｂの先端にナット２８が螺合され、また、頭部２５Ａは、スライド部材１６の中空となっている突部１６Ａの内部に収納される。
【００３６】
このようにスライド部材１６の突部１６Ａの内部に押え込みボルト２５の頭部２５Ａを収納した後に、スライド部材１６と押え込み部材１７が第１挟着部材１４と第２挟着部材１５の凹部１８，１９に配置されて、スライド部材１６の２個の被ガイド部１６Ｂが第１挟着部材１４と第２挟着部材１５のガイド部１４Ｄ，１５Ｄに外側から嵌合されるとともに、締め付け手段２４の締め付けにより、これらの挟着部材１４，１５に上向き突条部２を挟着させることが行われる。
【００３７】
押え込みボルト２５の軸部２５Ｂに螺合しているナット２８を緩めているときには、スライド部材１６及び押え込み部材１７を、スライド部材１６の被ガイド部１６Ｂが外側から嵌合しているガイド部１４Ｄ，１５Ｄによって案内させることにより、第１挟着部材１４及び第２挟着部材１５の凹部１８，１９において、上向き突条部２の長さ方向へこれらの挟着部材１４，１５に対してスライドさせることができ、このスライドは、押え込み部材１７の２個の脚部１７Ｂ，１７Ｃのうち、脚部１７Ｃよりも下方への延び寸法が大きくなっている脚部１７Ｂの下面が、第１挟着部材１４と第２挟着部材１５の凹部１８，１９の底部１８Ａ，１９Ａに接触して行われる。また、ナット２８を回転させて締め付けると、押え込みボルト２５の頭部２５Ａがスライド部材１６を押し上げるため、スライド部材１６の２個の被ガイド部１６Ｂの下部が第１挟着部材１４及び第２挟着部材１５のガイド部１４Ｄ，１５Ｄを下側から上側へ強く押圧するため、ナット２８の締め付けを行うことにより、スライド部材１６及び押え込み部材１７を、第１挟着部材１４及び第２挟着部材１５の凹部１８，１９において、これらの挟着部材１４，１５にスライド不能に固定することができる。
【００３８】
図６には、図１及び図２で示した受け部材１３が示されている。この受け部材１３は、２個以上の上向き突条部２に跨る桁行方向の長さを有しており、また、この受け部材１３は、桁行方向と直交する方向（上向き突条部２の長さ方向）が幅方向となっている底部１３Ａと、この底部１３Ａから桁行方向と直交する方向の間隔をあけて立設された２個の立上り部１３Ｂ，１３Ｃと、これらの立上り部１３Ｂ，１３Ｃの上端同士を繋いでいる繋ぎ部１３Ｄとを有する。また、受け部材１３は、それぞれの立上り部１３Ｂ，１３Ｃの上端部から桁行方向と直交する方向の外側へ延出した載置部１３Ｅ，１３Ｆと、繋ぎ部１３Ｄにおける桁行方向と直交する方向の中央部から上方へ起立した起立部１３Ｇと、この起立部１３Ｇの上端部から桁行方向と直交する方向の両側へ延出した２個の押え部１３Ｈ，１３Ｉと、これらの押え部１３Ｈ，１３Ｉのうち、一方の押え部１３Ｈの下面から下向きに突出したストップ部１３Ｊとを有している。
【００３９】
なお、載置部１３Ｅ，１３Ｆについての桁行方向と直交する方向への延出長さは、押え部１３Ｈ，１３Ｉについての桁行方向と直交する方向への延出長さよりも長くなっている。
【００４０】
また、底部１３Ａは、２個の立上り部１３Ｂ，１３Ｃの外側へ突出する幅寸法を有しており、この底部１３Ａの幅方向両端部のうち、一方の端部には、突起状の被押え込み部３０が形成されている。また、起立部１３Ｇには、この起立部１３Ｇの高さ方向の途中部において、桁行方向と直交する方向のうち、一方の側へ窪んだ窪み部３１が形成されている。さらに、押え部１３Ｈ，１３Ｉ同士の接続部分からは、上方へ延出した雪止め部３２が形成されている。
【００４１】
以上の受け部材１３は、アルミ又はアルミ合金製の押し出し成形品又は引き抜き成形品であるため、底部１３Ａと、立上り部１３Ｂ，１３Ｃと、繋ぎ部１３Ｄと、載置部１３Ｅ，１３Ｆと、起立部１３Ｇと、押え部１３Ｈ，１３Ｉと、ストップ部１３Ｊと、被押え込み部３０と、窪み部３１は、桁行方向の長さを有している受け部材１３の全長に渡って連続して設けられているが、雪止め部３２は、図６に示されているように、受け部材１３の長さ方向両端部の所定長さを除く箇所だけに設けられており、このため、受け部材１３の長さ方向両端部の所定長さの箇所は、雪止め部３２が存在しない雪止め部不存在箇所３３となっている。
【００４２】
したがって、受け部材１３と雪止め部３２は、上向き突条部２と直交する桁行方向の長さを有するものとなっているが、雪止め部３２の長さ寸法は、受け部材１３の長さ寸法よりも短くなっている。
【００４３】
なお、上述の雪止め部不存在箇所３３は、アルミ又はアルミ合金の押し出し又は引き抜きにより形成された受け部材１３の素材について、雪止め部不存在箇所３３に相当する箇所の雪止め部切除作業を行うことにより形成することができる。
【００４４】
また、図４及び図５に示されているように、押え込み部材１７の２個の脚部１７Ｂ，１７Ｃのうち、脚部１７Ｂよりも下方への延び寸法が小さくなっている脚部１７Ｃの下面には、上向きの凹形状に窪んだ押え込み部３４が形成されており、この押え込み部３４は、受け部材１３の底部１３Ａに形成されている被押え込み部３０に上側から嵌合できるようになっている。
【００４５】
図１に示されているように、受け部材１３よりも屋根１の軒側に配置される受け部材１２には、図２に示されているように、受け部材１３の載置部１３Ｆ、押え部１３Ｉに相当する載置部１２Ｆ、押え部１２Ｉが設けられているとともに、受け部材１３の被押え込み部３０、雪止め部３２に相当する被押え込み部４０、雪止め部４２も設けられており、この雪止め部４２も、受け部材１２の長さ方向両端部の所定長さを除く箇所だけに設けられているため、受け部材１２の長さ方向両端部の所定長さの箇所は、雪止め部４２が存在しない雪止め部不存在箇所となっている。
【００４６】
次に、本実施形態に係る設置架台１０により、屋根１の上にソーラーパネル５０を設置するための作業について説明する。
【００４７】
作業者は、屋根１に桁行方向の間隔をあけて多数設けられている上向き突条部２のうち、ソーラーパネル５０の桁行方向の寸法等に基づいて選択された複数の上向き突条部２に設置台１１を前述したように取り付けるとともに、設置台１１が取り付けられるこれらの上向き突条部２のそれぞれに、ソーラーパネル５０についての桁行方向と直交する方向の寸法に基づく間隔をあけて複数個の設置台１１を取り付ける。そして、水勾配を有する屋根１における同じ高さ位置において、作業者は、桁行方向に並べられた状態で複数の上向き突条部２に取り付けられた複数個の設置台１１に受け部材１２，１３を架け渡す作業を行う。
【００４８】
これを具体的に説明すると、図１に示されているように、屋根１の水勾配方向のうち、軒に最も近い位置において桁行方向に並べられている複数個の設置台１１には、受け部材１２を架け渡し、これらの設置台１１よりも屋根１の高位置において桁行方向に並べられている複数個の設置台１１には、受け部材１３を架け渡し、さらに、これらの設置台１１よりも屋根１の高位置において桁行方向に並べられている複数個の設置台１１にも、受け部材１３を架け渡し、このような受け部材１３についての架け渡し作業を、屋根１の棟に近い位置に配置されている設置台１１まで行う。
【００４９】
そして、このように受け部材１２，１３の架け渡し作業を行うときに、図２に示されているように、受け部材１２，１３の被押え込み部４０，３０に、それぞれの設置台１１の第１挟着部材１４と第２挟着部材１５の凹部１８，１９に配置されている押え込み部材１７の押え込み部３４を上側から嵌合し、前述した押え込みボルト２５のナット２８を締め付けることにより、被押え込み部４０，３０を押え込み部３４によって下側へ押え込み、これにより、被押え込み部４０，３０が設けられている受け部材１２，１３の下端部を、第１挟着部材１４と第２挟着部材１５の凹部１８，１９の底部１８Ａ，１９Ａに上側から押圧する。
【００５０】
なお、このように受け部材１２，１３の下端部を、第１挟着部材１４と第２挟着部材１５の凹部１８，１９の底部１８Ａ，１９Ａに上側から押圧する作業は、受け部材１２については、前述したスライド部材１６と押え込み部材１７のスライドにより、この受け部材１２を移動させることができる第１挟着部材１４と第２挟着部材１５の凹部１８，１９の範囲のうち、図１に示されているように、屋根１の軒側の位置に受け部材１２を配置して行い、また、受け部材１３については、図７に示されているように、この受け部材１３を移動させることができる第１挟着部材１４と第２挟着部材１５の凹部１８，１９の範囲のうち、屋根１の棟側の位置に受け部材１３を配置して行う。受け部材１３は、後述するように、凹部１８，１９の範囲のうち、屋根１の棟側から軒側へ移動されるため、図２には、受け部材１３が、凹部１８，１９の範囲のうち、屋根１の軒側へ移動した後の状態が示されている。
【００５１】
以上の作業を行った後に、作業者は、図１で示されているソーラーパネル５０Ａ，５０Ｂのうち、ソーラーパネル５０Ｂの軒側の端部が屋根１に近づいた位置であって、棟側の端部が屋根１から離れた位置となるように、このソーラーパネル５０Ｂを屋根１に対して傾けながら、ソーラーパネル５０Ｂの軒側の端部を受け部材１２に設けられている図２の載置部１２Ｆと押え部１２Ｉとの間に挿入し、この後に、ソーラーパネル５０Ｂを屋根１と平行の姿勢にし、これにより、ソーラーパネル５０Ｂの軒側の端部を載置部１２Ｆの上に載置するとともに、この端部の上面を押え部１２Ｉにより上から押える。そして、このソーラーパネル５０Ｂの棟側の端部を、図７に示されている設置台１１に配置された受け部材１３の押え部１３Ｈに当接させることなく、この受け部材１３に設けられている載置部１３Ｅの上に載置する。
【００５２】
これを一層具体的に説明すると、図７に示されている設置台１１に配置されているときの受け部材１３は、第１挟着部材１４と第２挟着部材１５の凹部１８，１９のうち、ソーラーパネル５０Ｂとは反対側となっている屋根１の棟側の位置に配置されているため、ソーラーパネル５０Ｂを屋根１と平行の姿勢にしたときに、このソーラーパネル５０Ｂの棟側の端部を、載置部１３Ｅよりも桁行方向と直交する方向の延出長さが短くなっている押え部１３Ｈに当接させることなく、載置部１３Ｅに載置することができる。
【００５３】
次いで、作業者は、図７に示されている設置台１１の押え込みボルト２５のナット２８を緩め、これにより、この設置台１１のスライド部材１６と、押え込み部材１７と、この押え込み部材１７の押え込み部３４により被押え込み部３０が下側へ押え込まれている受け部材１３とを、第１挟着部材１４と第２挟着部材１５の凹部１８，１９に対して上向き突条部２の長さ方向へスライド自在とし、これらのスライド部材１６と押え込み部材１７と受け部材１３とを、図８に示されているように、凹部１８，１９における屋根１の棟側から軒側へスライドさせ、ソーラーパネル５０Ｂの棟側の端部の側面に受け部材１３のストップ部１３Ｊを当接させた後に、ナット２８を回転させて締め付ける。
【００５４】
これにより、被押え込み部３０が設けられている受け部材１３の下端部は、図７及び図８で示されている設置台１１の第１挟着部材１４及び第２挟着部材１５に固定され、また、受け部材１３に載置部１３Ｅよりも桁行方向と直交する方向の延出長さが短くなって設けられている押え部１３Ｈは、ソーラーパネル５０Ｂの棟側の端部の上面を上から押えることになり、また、第１挟着部材１４と第２挟着部材１５の凹部１８，１９における受け部材１３の位置は、ストップ部１３Ｊにより位置決めされることになる。
【００５５】
以上により、ソーラーパネル５０Ｂの軒側の端部は、ソーラーパネルを受けるための部材となっている受け部材１２，１３のうち、受け部材１２の載置部１２Ｆと押え部１２Ｉとにより上下に不動状態となるとともに、ソーラーパネル５０Ｂの棟側の端部は、受け部材１３の載置部１３Ｅと押え部１３Ｈとにより上下に不動状態となる。また、図２に示されているように、ソーラーパネル５０Ｂの軒側の端部の側面は、受け部材１２の載置部１２Ｆと押え部１２Ｉの間に設けられている起立部１２Ｇに当接しているため、このソーラーパネル５０Ｂは、桁行方向と直交する方向にも不動状態となる。
【００５６】
以上の作業を行った後に、作業者は、図８に示されているテックスビスであるアースビス４５を、受け部材１３の起立部１３Ｇに形成されている窪み部３１において、受け部材１３側からソーラーパネル５０Ｂ側へ回転させながら打ち込む作業を行う。それぞれのソーラーパネル５０は、図３に示されているソーラーパネル５０Ｂから分かるように、外周部に金属製のフレーム４６が設けられたものとなっているため、このフレーム４６に達するアースビス４５により、ソーラーパネル５０Ｂと受け部材１３とが電気的に確実に接続され、これにより、ソーラーパネル５０Ｂから漏電する電気を地上等に逃がすためのアース回路を形成することができる。
【００５７】
次に、作業者は、図１で示されているソーラーパネル５０Ａ，５０Ｂのうち、図８の実線で示されているように、ソーラーパネル５０Ａの軒側の端部が屋根１に近づいた位置であって、棟側の端部が屋根１から離れた位置となるように、このソーラーパネル５０Ａを屋根１に対して傾けながら、ソーラーパネル５０Ａの軒側の端部を受け部材１３の載置部１３Ｆと押え部１３Ｉとの間に挿入し、この後に、図８の二点鎖線で示すように、ソーラーパネル５０Ａを屋根１と平行の姿勢にし、これにより、ソーラーパネル５０Ａの軒側の端部を載置部１３Ｆの上に載置するとともに、この端部の上面を押え部１３Ｉにより上から押える。そして、このソーラーパネル５０Ａの棟側の端部を、図８に示されている設置台１１よりもさらに屋根１の棟側に配置されている設置台１１に配置されたる受け部材１３の載置部１３Ｅの上に載置する。
【００５８】
なお、図８に示されている設置台１１に配置されている受け部材１３と、図８に示されている設置台１１よりもさらに屋根１の棟側に配置されている設置台１１に配置されている受け部材１３との間に、ソーラーパネル５０Ａを屋根１と平行の姿勢にして配置しても、前述したアースビス４５の頭部４５Ａは、受け部材１３の起立部１３Ｇに形成されている窪み部３１に収納されているため、この頭部４５Ａがソーラーパネル５０Ａと干渉することはない。
【００５９】
この後に、作業者は、前述した作業と同様に、図８に示されている設置台１１よりもさらに屋根１の棟側に配置されている設置台１１の押え込みボルト２５のナット２８を緩め、この設置台１１のスライド部材１６と押え込み部材１７と受け部材１３とを、第１挟着部材１４と第２挟着部材１５の凹部１８，１９において、屋根１の棟側から軒側へスライドさせ、ソーラーパネル５０Ａの棟側の端部の側面に受け部材１３のストップ部１３Ｊを当接させた後に、ナット２８を締め付ける。また、作業者は、ソーラーパネル５０Ａと受け部材１３とを電気的に接続するため、図８に示されている設置台１１よりもさらに屋根１の棟側に配置されている設置台１１の受け部材１３に設けられている窪み部３１にアースビス４５を回転させながら打ち込む等の前述した作業と同様の作業を行う。
【００６０】
以上により、図１で示されている２個のソーラーパネル５０Ａ，５０Ｂが、屋根１の軒側と棟側との間に本実施形態に係る設置架台１０により設置されたことになり、ソーラーパネル５０Ａよりもさらに屋根１の棟側にソーラーパネルを設置するためには、以上と同じ作業を繰り返して行い、また、屋根１の桁行方向にもソーラーパネル５０Ａ，５０Ｂと隣接してソーラーパネルを設置するためにも、以上と同じ作業を行う。
【００６１】
また、ソーラーパネル５０Ａ，５０Ｂを受けるための部材となっている受け部材１２，１３は、受け部材１２ごとに、受け部材１３ごとに、屋根１の桁行方向に複数本が直線的に並べられて配置され、これらの受け部材１２，１３に、屋根１の桁行方向に配置された複数のソーラーパネルのうち、桁行方向の両端部に配置されたソーラーパネルの左右端部の側面に当接するカバー部材等の当接部材を取り付けることにより、これらのソーラーパネルを屋根１の桁行方向にも位置決めして本実施形態に係る設置架台１０により屋根１の上に配置することができる。
【００６２】
以上説明した本実施形態に係る設置架台１０は、屋根１の上向き突条部２に取り付けられる設置台１１と、ソーラーパネル５０を受けるための受け部材１２，１３とを含んで構成されている。また、それぞれの設置台１１は、第１挟着部材１４及び第２挟着部材１５と、スライド部材１６と、押え込み部材１７とを有するものとなっており、この押え込み部材１７の押え込み部３４が、押え込みボルト２５のナット２８を回転させて締め付けることにより、受け部材１２，１３の下端部に設けられている被押え込み部３０，４０を下側へ押え込んで第１挟着部材１４及び第２挟着部材１５の凹部１８，１９の底部１８Ａ，１９Ａに押圧し、これにより、第１挟着部材１４及び第２挟着部材１５と押え込み部材１７とに受け部材１２，１３が接続されるため、スライド部材１６及び押え込み部材１７は、第１挟着部材１４及び第２挟着部材１５と、これらの第１挟着部材１４及び第２挟着部材１５よりも上側に配置されるソーラーパネル５０との間に介設されていて、第１挟着部材１４及び第２挟着部材１５にソーラーパネル５０を受け部材１２，１３を介して連結するための連結手段４７を構成するものとなっている。
【００６３】
そして、第１挟着部材１４と第２挟着部材１５に凹部１８，１９が設けられ、図７及び図８に示されているように、これらの凹部１８，１９に、スライド部材１６と押え込み部材１７で構成されている連結手段４７を配置することにより、連結手段４７の底部（本実施形態では、スライド部材１６の下面）についての第１挟着部材１４と第２挟着部材１５における高さ位置が、これらの挟着部材１４，１５に屋根の上向き突条部２を挟着させために挟着部材１４，１５を締め付けるボルト２２及びナット２３によって構成されている前述の締め付け手段２４よりも低い位置となっているため、凹部１８，１９の上下の深さ分だけ連結手段４７の高さ位置を低くすることができて、屋根１からのソーラーパネル５０の設置高さを低くできることになり、これにより、ソーラーパネル５０を屋根１の上に安定させて設置することができるようになる。
【００６４】
また、第１挟着部材１４と第２挟着部材１５の凹部１８，１９は、これらの挟着部材１４，１５に間隔をあけて２箇所に設けられる締め付け手段２４の間に形成されているため、連結手段４７を、これらの締め付け手段２４と干渉させずに挟着部材１４，１５に配置することができる。
【００６５】
また、それぞれの設置台１１において、スライド部材１６及び押え込み部材１７によって構成されている連結手段４７は、押え込みボルト２５のナット２８を緩めることにより、第１挟着部材１４と第２挟着部材１５の凹部１８，１９内で屋根１の上向き突条部２の長さ方向にスライド可能となり、また、ナット２８を回転させて締め付けると、連結手段４７を、凹部１８，１９内の任意の位置で第１挟着部材１４と第２挟着部材１５に固定することができるため、ソーラーパネル５０を受けるための部材であって、ナット２８の締め付けで連結手段４７に接続される部材となっている受け部材１２，１３に、ソーラーパネル５０を載置するための載置部１２Ｆ，１３Ｅ，１３Ｆと、ソーラーパネル５０の上面を上から押えるための押え部１２Ｉ，１３Ｈ，１３Ｉとが設けられていても、連結手段４７をスライドさせることにより、受け部材１２，１３の載置部１２Ｆ，１３Ｅ，１３Ｆにソーラーパネル５０を載置できて、ソーラーパネル５０の上面を押え部１２Ｉ，１３Ｈ，１３Ｉにより上から押えることができる。
【００６６】
また、受け部材１２，１３には、図２に示されているように、ソーラーパネル５０の上面よりも上方へ突出している雪止め部３２，４２が設けられているため、ソーラーパネル５０を受けるための受け部材１２，１３が雪止め部材を兼ねることになり、ソーラーパネル５０の上に積もった雪がソーラーパネル５０の上面に沿って滑り落ちることを防止できるようになる。
【００６７】
そして、前述したように本実施形態では、受け部材１２，１３の全長に渡って雪止め部３２，４２が設けられておらず、受け部材１２，１３の長さ寸法よりも雪止め部３２，４２の長さ寸法は短いため、受け部材１２，１３には、雪止め部が設けられていない箇所が存在することになり、これにより、雪が溶解して生じた水がこの箇所を通過することができ、水が受け部材１２，１３よりも屋根１の水勾配方向の下側へ流下できるようになる。
【産業上の利用可能性】
【００６８】
本発明は、屋根の上に、例えば、太陽光発電のためのソーラーパネルや、太陽熱温水器、屋根緑化装置等の屋根上設置物を設置するために利用できる。
【符号の説明】
【００６９】
１  屋根
２  上向き突条部
１０  設置架台
１１  設置台
１２，１３  受け部材
１２Ｆ，１３Ｅ，１３Ｆ  載置部
１２Ｉ，１３Ｈ，１３Ｉ  押え部
１４  第１挟着部材
１５  第２挟着部材
１６  スライド部材
１７  押え込み部材
１８，１９  第１及び第２挟着部材の凹部
２４  締め付け手段
３２，４２  雪止め部
４７  連結手段
５０，５０Ａ，５０Ｂ  屋根上設置物であるソーラーパネル
【図１】
0006594080.tif 000002
【図２】
0006594080.tif 000003
【図３】
0006594080.tif 000004
【図４】
0006594080.tif 000005
【図５】
0006594080.tif 000006
【図６】
0006594080.tif 000007
【図７】
0006594080.tif 000008
【図８】
0006594080.tif 000009